(57)【特許請求の範囲】
【請求項１】
第１ブロックと、
ヒンジ部を介して前記第１ブロックに回転可能に結合される第２ブロックと、
前記第１ブロック及び第２ブロックを部分的に覆い、且つ前記第１ブロックに回転可能に結合される第３ブロックと、を備える筐体構造であって、
前記ヒンジ部の回転軸線の延長上に位置するように前記第２ブロックと第３ブロックの少なくとも何れかに磁性部材を配置し、
前記第２ブロックの前記第１ブロックに対する回動については規制しないように、前記第３ブロックに対し前記第２ブロックを前記磁性部材により保持可能とする保持部を備えることを特徴とする筐体構造。
【請求項２】
前記第１ブロックに第２ブロックを回転可能に結合する第１ヒンジ部の回転軸線と、
前記第１ブロックに第３ブロックを回転可能に結合する第２ヒンジ部の回転軸線とが互いに直交することを特徴とする請求項１に記載の筐体構造。
【請求項３】
前記第３ブロックは、前記第１ブロック及び第２ブロックの周囲を覆うフレーム形状に形成されていることを特徴とする請求項１または２に記載の筐体構造。
【請求項４】
前記保持部における前記磁性部材が対向する位置には、前記磁性部材の磁力により吸着する部材が設けられることを特徴とする請求項１から３のいずれか一項に記載の筐体構造。
【請求項５】
請求項１から４のいずれか一項に記載の筐体構造を備えることを特徴とする電子機器。
【請求項６】
前記第１ブロックに撮影レンズが設けられて、
前記第２ブロックに表示部及びシャッターボタンが設けられていることを特徴とする請求項５に記載の電子機器。
【発明の詳細な説明】
【技術分野】
【０００１】
本発明は、複数のブロックにより構成される筐体構造と、その筐体構造を備える電子機器に関する。
【背景技術】
【０００２】
例えば特許文献１の図６において、本体ブロックに対し、表示ブロックを回転可能に結合して、リモコンを着脱可能とした三つのブロックにより構成される筐体構造によるカメラが開示される。
【先行技術文献】
【特許文献】
【０００３】
【特許文献１】特開２０１０−１９１２７０号公報
【発明の概要】
【発明が解決しようとする課題】
【０００４】
三つのブロックにより構成される筐体構造として他には、例えば撮影レンズを有するレンズブロックに、液晶表示部を有する表示ブロックをヒンジ部で回転可能に結合して、これらレンズブロック及び表示ブロックの周囲を覆うフレームブロックを設け、そのフレームブロックをレンズブロックに対し別のヒンジ部で回転可能に結合する構造が考えられる。その場合、フレームブロックの内方で表示ブロックも回転可能となる。
【０００５】
ところで、このような筐体構造は、三つのブロックが互いに回転する、回転軸線が直交する二つのヒンジ部を有するため、その二つのヒンジ部の精度誤差の集積によっては、表示ブロックとフレームブロックとのクリアランスに大きな差が生じて外観を損なってしまうことが考えられる。
また、例えば表示ブロックにシャッターボタンを設けることが考えられるが、その場合、シャッターボタンを押した際に、ヒンジ部の支持剛性によっては、表示ブロックがグラついてしまうことが考えられる。
【０００６】
本発明の課題は、三つのブロックにより構成される筐体構造において、外観を良好にしながら、操作するブロックのグラつきも防止することである。
【課題を解決するための手段】
【０００７】
以上の課題を解決するため、請求項１に記載の発明は、第１ブロックと、ヒンジ部を介して前記第１ブロックに回転可能に結合される第２ブロックと、前記第１ブロック及び第２ブロックを部分的に覆い、且つ前記第１ブロックに回転可能に結合される第３ブロックと、を備える筐体構造であって、前記ヒンジ部の回転軸線の延長上に位置するように前記第２ブロックと第３ブロックの少なくとも何れかに磁性部材を配置し、前記第２ブロックの前記第１ブロックに対する回動については規制しないように、前記第３ブロックに対し前記第２ブロックを前記磁性部材により保持可能とする保持部を備えることを特徴とする。
【発明の効果】
【０００８】
本発明によれば、三つのブロックにより構成される筐体構造の外観を良好にしながら、操作するブロックのグラつきも防止することができる。
【図面の簡単な説明】
【０００９】
【図１】本発明を適用した電子機器の一実施形態の構成を示すもので、カメラの正面図（ａ）、側面図（ｂ）（ｃ）、平面図（ｄ）、及び背面図（ｅ）である。
【図２】図１のカメラの斜視図である。
【図３】図１のカメラの表示ブロックを回転させた図である。
【図４】図１のカメラのフレームブロックを回転させた図である。
【図５】図１の矢印Ａ−Ａ線に沿った拡大断面図である。
【発明を実施するための形態】
【００１０】
以下、図を参照して本発明を実施するための形態を詳細に説明する。
図１及び図２は本発明を適用した電子機器の一実施形態の構成としてカメラを示すもので、１はレンズブロック、２は表示ブロック、３はフレームブロック、４は撮影レンズ、５は表示部、６はシャッターボタンである。
【００１１】
図示のように、カメラの筐体は、撮影レンズ４を有するレンズブロック１と、液晶表示による表示部５及びその隣に並ぶシャッターボタン６を有する表示ブロック２と、これら二つのレンズブロック１及び表示ブロック２の周囲を覆うコ字型のフレーム形状に形成したフレームブロック３とからなる三つのブロックにより構成されている。
【００１２】
そして、レンズブロック１に対し表示ブロック２とフレームブロック３が二軸ヒンジ部を介してそれぞれ回転可能に結合されている。
すなわち、レンズブロック１に対して、第１ヒンジ部を介して表示ブロック２が回転可能に結合されるとともに、第２ヒンジ部を介してフレームブロック３が回転可能に結合されている。
【００１３】
二軸ヒンジ部は、図１に示すように、レンズブロック１に表示ブロック２を結合する第１ヒンジ部の回転軸線Ｌ１と、レンズブロック１にフレームブロック３を結合する第２ヒンジ部の回転軸線Ｌ２が互いに直交している。
【００１４】
従って、図３に示すように、レンズブロック１に対し表示ブロック２が第１ヒンジ部の回転軸線Ｌ１を中心に回転する。
また、図４に示すように、レンズブロック１及び表示ブロック２に対しフレームブロック３が第２ヒンジ部の回転軸線Ｌ２を中心に回転する。
【００１５】
具体的には、フレームブロック３は２７０度回転し、使用時にフレームブロック３の角度を変えることで様々なスタイルで撮影ができる。
例えばフレームブロック３を開いて三脚スタンドのように立てて撮影したり、フレームブロック３のコ字型フレーム形状を活かして壁面などのフックに掛けて撮影したり、フレームブロック３をグリップしてカムコーダーのような持ち方でも撮影ができる（図４参照）。
またフレームブロックには弾性を有する樹脂で形成されストラップを通す為のストラップ通し部材３１が備えられている（図１参照）。このストラップ通し部材３１は、上記三脚スタンドのようにカメラを立てた場合に滑り止めの機能を果たす。
【００１６】
なお、フレームブロック３でレンズブロック１及び表示ブロック２の周囲を覆った状態では通常のカメラスタイルで撮影ができる（図２参照）。
【００１７】
ここで、通常のカメラスタイルで撮影するとき、シャッターボタン６やその他のコントロールキーを親指で操作する際、その操作中に指で表示ブロック２やその表示部５の画面を押し込む力がかかりやすい。
そのとき、レンズブロック１と反対側において、表示ブロック２とフレームブロック３のグラつきを防ぐために、固定状態保持部として、第１ヒンジ部の回転軸線Ｌ１の延長線上に位置する磁石（磁性部材）８が設けられている。
【００１８】
また固定状態保持部材の構成要素として、表示ブロック２とフレームブロック３を固定状態に保持可能とする位置には、図５に示すように、表示ブロック２に設けた磁石８の他、この磁石８に対向する位置であって、フレームブロック３のストラップ通し部材３１の反対側側面に磁性体９を設けている。
すなわち、表示ブロック２のレンズブロック１と反対側端面の中央内に、第１ヒンジ部の回転軸線Ｌ１の延長線上に中心が位置する磁石８を組み込んでおく。
また、フレームブロック３のレンズブロック１と反対側端部の内側面を金属による磁性体９で形成しておく。
なお、磁石８は、シャッターボタン６の操作力以上の吸着によるロック力を確保する磁力に設定する。
【００１９】
以上の磁石８及び磁性体９によれば、磁石８と磁性体９が磁力により吸着したロック状態に保たれる。
すなわち、レンズブロック１と反対側において、表示ブロック２とフレームブロック３が磁石８の磁力により吸着状態に保持されるため、図１（ｅ）に示すように、通常のカメラスタイルでシャッターボタン６を押しても、表示ブロック２のグラつきを防いで良好な撮影が行える。
また、その他のコントロールキーを親指で操作する際、その操作中に指で表示ブロック２や表示部５の画面を押し込んだときでも、表示ブロック２のグラつきを防ぐことができる。
【００２０】
そして、図３に示すように、レンズブロック１に対し表示ブロック２を第１ヒンジ部の回転軸線Ｌ１を中心に回転させる場合は、その第１ヒンジ部の回転軸線Ｌ１の延長線上において、磁石８と磁性体９が磁力により吸着したロック状態に保たれているため、表示ブロック２とフレームブロック３とのクリアランスは小さく安定している。
従って、三つのブロックにより構成されるカメラ筐体として良好な外観が得られる。
【００２１】
レンズブロック１及び表示ブロック２に対しフレームブロック３を第２ヒンジ部の回転軸線Ｌ２を中心に回転させる場合は、表示ブロック２とフレームブロック３に対しシャッター操作以上の力を掛けることで、磁石８と磁性体９の磁力による吸着が解除された状態になる。
【００２２】
（変形例）
以上の実施形態においては、カメラとしたが、本発明はこれに限定されるものではなく、カメラを備える携帯電話などの電子機器であってもよい。
また、実施形態では、レンズブロック１にフレームブロック３を回転可能に結合したが、表示ブロック２にフレームブロック３を回転可能に結合してもよい。その場合においても、操作中に指で表示ブロック２や表示部５の画面やレンズブロック１を押し込んだときでも、レンズブロック１（撮影レンズ４）のグラつきを防ぐことができる。
【００２３】
さらに、実施形態では、表示ブロックに磁石を設け、フレームブロックに磁性体を設けたが、表示ブロックに磁性体を設け、フレームブロックに磁石を設けてもよい。
さらに、表示ブロック及びフレームブロックの両方に磁石をそれぞれ設けて、そのＮ極とＳ極を対向させるように配置してもよい。
【００２４】
また、各ブロックの形状等も任意であり、その他、具体的な細部構造等についても適宜に変更可能であることは勿論である。
【００２５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
第１ブロックと、
前記第１ブロックに回転可能に結合される第２ブロックと、
前記第１ブロック及び第２ブロックを部分的に覆い、且つ前記第１ブロックに回転可能に結合される第３ブロックと、を備える筐体構造であって、
前記第３ブロックに対し前記第２ブロックを固定状態に保持可能とする固定状態保持部を備えることを特徴とする筐体構造。
＜請求項２＞
前記第１ブロックに第２ブロックを回転可能に結合する第１ヒンジ部の回転軸線と、
前記第１ブロックに第３ブロックを回転可能に結合する第２ヒンジ部の回転軸線とが互いに直交することを特徴とする請求項１に記載の筐体構造。
＜請求項３＞
前記第３ブロックは、前記第１ブロック及び第２ブロックの周囲を覆うフレーム形状に形成されていることを特徴とする請求項１または２に記載の筐体構造。
＜請求項４＞
前記固定状態保持部は、前記第２ブロックまたは第３ブロックの少なくとも一方に設けられる磁性部材で構成され、前記第２ブロックまたは第３ブロックの前記磁性部材が対向する位置は、前記磁性部材の磁力により吸着する部材で構成されることを特徴とする請求項１から３のいずれか一項に記載の筐体構造。
＜請求項５＞
請求項１から４のいずれか一項に記載の筐体構造を備えることを特徴とする電子機器。
＜請求項６＞
前記第１ブロックに撮影レンズが設けられて、
前記第２ブロックに表示部及びシャッターボタンが設けられていることを特徴とする請求項５に記載の電子機器。
【符号の説明】
【００２６】
１  第１ブロック
２  第２ブロック
３  第３ブロック
４  撮影レンズ
５  表示部
６  シャッターボタン
８  磁石（磁性部材）
９  磁性体
Ｌ１  第１ヒンジ部の回転軸線
Ｌ２  第２ヒンジ部の回転軸線
【図１】
0005733017.tif 000002
【図２】
0005733017.tif 000003
【図３】
0005733017.tif 000004
【図４】
0005733017.tif 000005
【図５】
0005733017.tif 000006